(57)【要約】【課題】かご外からでも不審者の乗ったかごの運転を規制する。【解決手段】各階床の乗り場に設けられる乗り場不審者登録装置３のうち少なくとも１つを操作すると、エレベータ制御装置２は、乗り場呼びおよびかご内の行先階指定釦による操作の有無に関わらず、かごを不審者登録時階床に直行運転させて着床させる。また、エレベータ制御装置２は、乗り場不審者登録装置３の操作にともない、不審者がかごに乗っている旨と不審者登録時階床の情報を、各階床の乗り場に設けられた乗り場報知装置５によりメッセージ表示させる。【選択図】    図１
2005047655.tif 000002
【特許請求の範囲】
【請求項１】
かご外の特定の場所に設置されるスイッチ手段と、
このスイッチ手段による操作があった場合に、乗り場呼びおよびかご内の行先階指定釦による操作の有無に関わらず、前記かごを所定の階床に着床させる制御を行なう制御手段と
を具備することを特徴とするエレベータ制御システム。
【請求項２】
前記スイッチ手段は、各階床の乗り場に設けられ、
前記制御手段は、前記各スイッチ手段のうち少なくとも１つによる操作があった場合に、前記かごを前記所定の階床に着床させることを特徴とする請求項１に記載のエレベータ制御システム。
【請求項３】
かご内を撮像する撮像手段と、
前記撮像手段により得られた画像を表示する表示手段が設置された警備室と
を具備し、
前記スイッチ手段は、前記警備室に設けられたことを特徴とする請求項１に記載のエレベータ制御システム。
【請求項４】
前記制御手段により前記かごが前記所定の階床に向かって昇降中であることを報知する報知手段を具備したことを特徴とする請求項１に記載のエレベータ制御システム。
【請求項５】
前記制御手段は、前記かごを前記所定の階床に着床させた上で、当該かごの開扉動作を禁止することを特徴とする請求項１乃至請求項４のいずれかに記載のエレベータ制御システム。
【発明の詳細な説明】
【０００１】
【発明の属する技術分野】
本発明は、乗り場呼びおよびかご内の行先階指定釦による操作とは別の手段によりかごの昇降動作を制御するエレベータ制御システムに関する。
【０００２】
【従来の技術】
従来、エレベータの制御システムでは、例えば、乗客が乗っているかごに不審者が乗り込んできた場合には、この乗客が、かご内に設けられた操作釦を操作して、不審者が当該かご内の行先階指定釦により指定した階床と別の階床にかごを着床させる（例えば、特許文献１参照）。これにより不審者が乗ったかごの運転を規制する。
【０００３】
【特許文献１】
特開平７−２５２０４６号公報
【０００４】
【発明が解決しようとする課題】
しかしながら、例えば、誰も乗っていないかごに不審者が乗り込む様子を、乗り場付近の乗客が発見した場合には、この乗客が乗り場に辿り着く前にかごが昇降し始めた場合には、前述したかご内の操作釦を操作することが出来ない。
【０００５】
このように、従来のエレベータの制御システムでは、不審者によるかごの利用を他人が発見した場合でも、当該かごの運転を規制することができない場合があった。
【０００６】
本発明は、前記課題に鑑みなされたもので、かご外からでも不審者の乗ったかごの運転を規制することが可能なエレベータ制御システムを提供することを目的とする。
【０００７】
【課題を解決するための手段】
すなわち、本発明に係わるエレベータ制御システムは、かご外の特定の場所に設置されるスイッチ手段と、このスイッチ手段による操作があった場合に、乗り場呼びおよびかご内の行先階指定釦による操作の有無に関わらず、前記かごを所定の階床に着床させる制御を行なう制御手段とを具備することを特徴とする。
【０００８】
このような構成によれば、かご外の特定の場所に設置されるスイッチ手段による操作があった場合に、かごを、乗り場呼びおよびかご内の行先階指定釦による操作の有無に関わらず、所定の階床に着床させるので、かご外からでも不審者の乗ったかごの運転を規制することができる。
【０００９】
【発明の実施の形態】
以下図面により本発明の実施形態について説明する。
（第１の実施形態）
まず、本発明の第１の実施形態について説明する。
図１は、本発明の第１の実施形態にしたがったエレベータ制御システムの構成例を示すブロック図である。
図１に示すように、巻上機１には、これを制御するエレベータ制御装置２が接続される。なお、巻上機１を介して吊下されるかごおよびその他の駆動機構は、従来のエレベータ制御システムで用いられている形態と同様であるので、これらの図示および説明は省略する。
【００１０】
エレベータ制御装置２には、乗り場不審者登録装置３が接続される。この乗り場不審者登録装置３は、例えば押下式のスイッチであり、各階床の乗り場にそれぞれ設けられる。乗り場不審者登録装置３は、例えば、当該乗り場不審者登録装置３が設置された乗り場に近づいた乗客が、不審者がかごに乗り込む様子を発見した場合などに操作するものである。
【００１１】
エレベータ制御装置２は、乗り場呼びまたはかご内の行先階指定釦の操作などにしたがって巻上機１を制御してかごを昇降させる。なお、本実施形態では、エレベータ制御装置２は、１台のかごの昇降を制御する。このエレベータ制御装置２は、乗り場不審者登録装置３が操作されると、乗り場呼びおよびかご内の行先階指定釦の操作の有無に関わらず、所定の階床にかごを直行運転させて着床させる。以下、乗り場不審者登録装置３の操作があった場合にかごを着床させる階床を不審者登録時階床と定義する。この不審者登録時階床は、不審者が建物内から脱出しにくい階床、例えば最上階に設定することが望ましい。この不審者登録時階床の情報は、エレベータ制御装置２内の記憶部（図示せず）に予め記憶される。
【００１２】
また、エレベータ制御装置２には、警備室報知装置４および乗り場報知装置５が接続される。警備室報知装置４は、エレベータが設置される建物内の警備室（図示せず）に設けられる。この警備室には、警備員が駐在する。また、乗り場報知装置５は、各階床の乗り場にそれぞれ設けられる。警備室報知装置４および乗り場報知装置５には、それぞれ表示部（図示せず）が設けられる。エレベータ制御装置２は、乗り場不審者登録装置３の操作に基づいて、警備室報知装置４および乗り場報知装置５を制御する。警備室報知装置４および乗り場報知装置５は、エレベータ制御装置２による制御に基づいて、所定の報知を行なう。所定の報知とは、例えば、エレベータ制御装置２が制御するかごの識別名称および不審者登録時階床の情報を示すメッセージの表示である。かごの識別名称の情報およびメッセージ用のデータは前述した記憶部に記憶される。これにより、かごが、不審者登録時階床に向かって昇降中であることを報知する。
【００１３】
図２は、図１に示した警備室報知装置４または乗り場報知装置５により表示するメッセージの一例を示す図である。
なお、警備室報知装置４の表示部と乗り場報知装置５の表示部では、共通したメッセージに限らず、それぞれの個別のメッセージを表示させてもよい。また、各階床の乗り場報知装置５では、例えば、不審者登録時階床に設置された乗り場報知装置５の表示部と、その他の階床に設置された乗り場報知装置５の表示部とで、それぞれ個別のメッセージを表示させてもよい。
【００１４】
次に前記構成によるエレベータ制御システムによる処理について説明する。  図３は、図１に示したエレベータ制御システムによる処理内容を示すフローチャートである。この図３で示した指定階とは、前述した不審者登録時階床を意味する。
【００１５】
まず、例えば、乗り場に近づいた乗客または、乗り場付近を巡回していた警備員が、不審者がかごに乗り込む様子を発見した場合などに、当該乗り場に設置される乗り場不審者登録装置３を操作すると、エレベータ制御装置２に制御信号が出力される（ステップＳ１０１のＹＥＳ）。
【００１６】
エレベータ制御装置２は、各階床の乗り場不審者登録装置３のうち少なくとも１つが操作され、この乗り場不審者登録装置３により出力された制御信号に基づいて、警備室報知装置４および各階床の乗り場報知装置５に制御信号を出力する。この制御信号には、前述したメッセージの情報が含まれる。警備室報知装置４は、エレベータ制御装置２により出力された制御信号に基づいて、図２に示したメッセージを表示する（ステップＳ１０２）。
【００１７】
また、各階床の乗り場報知装置５の表示部は、エレベータ制御装置２から出力された制御信号に基づいて、図２に示したメッセージを表示する（ステップＳ１０３）。
【００１８】
また、エレベータ制御装置２は、各階床の乗り場不審者登録装置３のうち、少なくとも１つが操作され、この乗り場不審者登録装置３により出力された制御信号に基づいて巻上機１を制御し、かごを不審者登録時階床まで昇降させて当該階床に着床させる（ステップＳ１０４，Ｓ１０５）。この場合、乗り場呼びおよびかご内の行先階指定釦の操作による行先階登録は無視される。また、乗り場不審者登録装置３を操作した時点におけるかごの昇降方向が、かごの現在位置から不審者登録時階床に対する方向と異なる場合には、かごの昇降動作を一旦停止させて、不審者登録時階床に向かって昇降させる。
【００１９】
つまり、かごは、乗り場不審者登録装置３による指示にしたがって、乗り場呼びおよび行先階指定釦により指定された階床には着床しないで、前述した不審者登録時階床に直行する。なお、前述したステップＳ１０２，Ｓ１０３の処理は、ステップＳ１０４によりかごが不審者登録時階床に向かって昇降開始した場合に実行させてもよい。
【００２０】
かごが不審者登録時階床に着床した場合には、警備室報知装置４および乗り場報知装置５は、図２に示したメッセージの表示を終了する。この場合、かごが不審者登録時階床に着床したことを示すメッセージを警備室報知装置４および乗り場報知装置５の表示部に表示させてもよい。
【００２１】
このような構成によれば、各階床の乗り場に、乗り場不審者登録装置３を設けたので、例えば乗り場に近づいた乗客または乗り場付近を巡回している警備員が、不審者がかごに乗り込むところを発見した場合でも、当該不審者が乗っているかごを、乗り場呼びおよびかご内の行先階指定釦による操作の有無に関係なく不審者登録時階床に直行運転させるので、かご外からでも、不審者の乗ったかごの運転を規制することができる。また、かごを不審者登録時階床に直行運転させた際に、不審者がかごに乗っている旨および不審者登録時階床を各乗り場に報知することにより、乗り場にいる乗客に対する避難を促すことができる。
【００２２】
本実施形態にしたがったエレベータ制御装置２により、かごを不審者登録時階床へ直行運転させる場合には、かごの昇降速度を通常の昇降時のそれに対して減速させてもよい。これにより、通常の昇降時の速度により昇降した場合と比較して、不審者登録時階床に対するかごの着床時刻を遅らせる形態としてもよい。これは、例えば、警備室と不審者登録時階床との距離が長く、かごが通常の昇降速度により昇降すると、当該かごが不審者登録時階床に着床するまでに当該階床に警備員が到着できないような場合に有効である。つまり、警備室報知装置４からの報知により、不審者がかごを使用していることを警備員が確認して不審者登録時階床まで移動する場合に、この警備員の、警備室から不審者登録時階床までの移動時間に対して、警備室報知装置４に対する報知がなされてからかごが不審者登録時階床に着床するまでに要する時間が長くなるようにかごの昇降速度を変更することで、警備員は、かごが不審者登録時階床に着床する前に当該不審者登録時階床に到着することができる。
【００２３】
また、乗り場報知装置５では、ステップＳ１０３によるメッセージ表示とともに、別途設けた音声出力部（図示せず）により、例えば「不審者がエレベータに乗っていますのでホール前から避難して下さい。」等の音声を出力してもよい。
【００２４】
次に、前記第１の実施形態の変形例を示す。
図４は、前記第１の実施形態の変形例の一例を示す図である。同図において、図１に示した構成要素と同一の構成要素には同一の符号を付しており、ここではその説明を省略する。
この変形例では、図４に示したエレベータ制御装置２に、図１で示した乗り場不審者登録装置３に代えて、警備室不審者登録装置６が接続される。警備室不審者登録装置６は、前述した警備室に設けられ、乗り場不審者登録装置３と同様の機能を有する。
【００２５】
この場合、エレベータ制御装置２が制御するかご内には、かご内を撮像する監視用カメラが設けられる。また、前述した警備室には、監視用モニタが設けられる。監視用モニタは、監視用カメラによる撮像結果を表示する。
【００２６】
警備室内の警備員は、例えば、監視用モニタに表示される映像に基づいて、不審者がかごに乗っていることを発見した場合などに、同じ警備室内に設けられた警備室不審者登録装置６を操作する。
【００２７】
エレベータ制御装置２は、警備室不審者登録装置６の操作により出力された制御信号に基づいて、前述したステップＳ１０２〜Ｓ１０５の処理と同様の処理を行なう。
【００２８】
このような構成とすれば、不審者がかごを利用していることを発見した場合に操作するスイッチを警備室内に設けたので、例えば、既に不審者がかごに乗り込んでおり、各階床の乗り場に近づいた乗客が、不審者がかごを利用していることを確認できなかった場合でも、不審者がかごを利用していることを、警備室内の監視用モニタを介して警備員が確認した場合に、スイッチを操作して、かごを不審者登録時階床に直行運転させることができ、かつ、各階床の乗り場に対して不審者の存在を知らせて、乗り場にいる乗客に対して避難を促すことができる。
【００２９】
また、前記第１の実施形態にしたがったエレベータ制御システムは、図５〜図７に示したような構成とすることも可能である。図５および図７に示したかご内不審者登録装置７は、巻上機１により昇降させるかご内に設けられ、前述した乗り場不審者登録装置３および警備室不審者登録装置６と同様の機能を有する。かご内不審者登録装置７は、例えば、乗客が乗ったかごに不審者が乗り込んできた場合に操作する。また、図６および図７に示した乗り場不審者登録装置３は、図１に示した形態と同様に、各階床の乗り場にそれぞれ設置されてエレベータ制御装置２と接続される。かご内不審者登録装置１は、かご内の非常呼び登録装置であってもよい。
【００３０】
（第２の実施形態）
まず、本発明の第２の実施形態について説明する。
前述した第１の実施形態にしたがったエレベータ制御システムでは、乗り場不審者登録装置３による操作に基づいて、かごが不審者登録時階床まで昇降して着床した場合でも、通常の昇降動作において着床した場合と同様に、かごの扉が開扉する。しかしこの場合、不審者登録時階床の乗り場に警備員がいない場合には、不審者をかご外に容易に脱出させることになり、その後の移動経路を把握できなくなる。これを改善するのが本実施形態の趣旨である。
【００３１】
本実施形態にしたがったエレベータ制御システムの構成は、図１に示した構成と同様である。
次に、この第２の実施形態にしたがったエレベータ制御システムによる処理について説明する。
図８は、本発明の第２の実施形態にしたがったエレベータ制御システムによる処理内容を示すフローチャートである。
図８に示したステップＳ１０１〜Ｓ１０４までの処理は、前述した図３に示した内容と同様である。
【００３２】
前述したステップＳ１０４により、かごが不審者登録時階床に着床した場合には、エレベータ制御装置２は、かごの扉の開扉動作を禁止し、閉扉を維持する（ステップＳ１０６）。この場合、かご内の扉開閉操作釦（図示せず）による操作があった場合でも、かごの扉は開扉しない。この場合、閉扉状態の扉は、着床した不審者登録時階床の乗り場に設けられる扉開閉操作釦（図示せず）の操作により開扉する。
【００３３】
このような構成とすれば、かごが不審者登録時階床に着床した後に扉を開扉させないので、前述した第１の実施形態にしたがったエレベータ制御システムによる作用に加えて、不審者登録時階床に着床させたかごからの不審者の脱出を防止することができる。これにより、例えば、警備室と不審者登録時階床との間の距離が離れていた場合でも、警備室報知装置４による報知により不審者登録時階床の乗り場に直行した警備員によって、かご内の不審者を確実に取り押さえることができる。本実施形態にしたがったエレベータ制御システムは、図４〜図７に示した構成においても適用可能なことはもちろんである。
【００３４】
なお、この発明は、上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合せてもよい。
【００３５】
【発明の効果】
以上のように、本発明によれば、各階床の乗り場に設置された専用のスイッチを操作することで、かごを、乗り場呼びおよびかご内の行先階指定釦による操作の有無に関わらず所定の階床に着床させるので、かご外からでも不審者の乗ったかごの運転を規制することができる。
【図面の簡単な説明】
【図１】本発明の第１の実施形態にしたがったエレベータ制御システムのブロック構成図。
【図２】図１に示した警備室報知装置または乗り場報知装置により表示されるメッセージの一例。
【図３】図１に示したエレベータ制御システムの処理内容を示すフローチャート。
【図４】前記第１の実施形態の変形例。
【図５】前記第１の実施形態の変形例。
【図６】前記第１の実施形態の変形例。
【図７】前記第１の実施形態の変形例。
【図８】本発明の第２の実施形態にしたがったエレベータ制御システムの処理内容を示すフローチャート。
【符号の説明】
１…巻上機、２…エレベータ制御装置、３…乗り場不審者登録装置、４…警備室報知装置、５…乗り場報知装置、６…警備室不審者登録装置、７…かご内不審者登録装置。
【図１】
2005047655.tif 000003
【図２】
2005047655.tif 000004
【図３】
2005047655.tif 000005
【図４】
2005047655.tif 000006
【図５】
2005047655.tif 000007
【図６】
2005047655.tif 000008
【図７】
2005047655.tif 000009
【図８】
2005047655.tif 000010